(57)【要約】【課題】  携帯電話機レベルの強い電磁波に対しても十分なシールド性を発揮し得るマイクロホンケースを備えたバウンダリーマイクロホンを提供する。【解決手段】  マイクロホンケース１が上面側が開放された金属製の扁平なベース部１０と、ベース部１０の上面を覆うようにしてベース部１０に取り付けられる多数の開口（音波導入孔）を有する金属製のマイクカバー２０とを含み、マイクロホンケース１内にマイクユニット３１が収納されているバウンダリーマイクロホンにおいて、マイクカバー２０の周端面２０ａとベース部１０との間に、弾性と導電性とを併せもつガスケット４０を配置する。【選択図】  図１
2005333180.tif 000002
【特許請求の範囲】
【請求項１】
マイクロホンケースが上面側が開放された金属製の扁平なベース部と、上記ベース部の上面を覆うようにして上記ベース部に取り付けられる多数の開口（音波導入孔）を有する金属製のマイクカバーとを含み、上記マイクロホンケース内にマイクユニットが収納されているバウンダリーマイクロホンにおいて、
上記マイクカバーの周端面と上記ベース部との間に、弾性と導電性とを併せもつガスケットが配置されていることを特徴とするバウンダリーマイクロホン。
【請求項２】
上記ガスケットが弾性を有する芯材と、上記芯材の全周に被覆された導電性繊維とを備えており、上記マイクカバーの周端面の全体にわたって配置されていることを特徴とする請求項１に記載のバウンダリーマイクロホン。
【発明の詳細な説明】
【技術分野】
【０００１】
本発明はバウンダリーマイクロホンに関し、さらに詳しく言えば、外来電磁波による雑音の発生を防止する技術に関するものである。
【背景技術】
【０００２】
バウンダリーマイクロホン（面上収音式マイクロホン）は例えばＴＶスタジオや会議の席などにおいて机や床面に設置して使用されることからサーフェイスマウントマイクロホンとも呼ばれており、特許文献１に記載されているようにバウンダリーマイクロホンには扁平なマイクロホンケースが用いられる。その一例を図４の断面図および図５の分解断面図により説明する。
【０００３】
これによると、バウンダリーマイクロホンに用いられるマイクロホンケース１は、基本的に、上面側が開放された金属製の扁平なベース部１０と、その上面を覆うようにしてベース部１０に取り付けられる多数の開口（音波導入孔）を有する金属製のマイクカバー２０の２つの部品から構成される。
【０００４】
通常、ベース部１０は亜鉛ダイカストなどの鋳造により形成され、マイクカバー２０にはパンチングプレート（多孔板）が用いられる。パンチングプレートに代えて金網体が用いられることもある。マイクカバー２０はベース部１０に対してネジ止めされるが、多点でネジ止めすると見栄えがよくないことから１点止めとしている。
【０００５】
すなわち、マイクカバー２０のほぼ中央にネジ挿通孔２１を穿設するとともに、ベース部１０側には雌ネジを有するボス１１を立てて、固定用の雄ネジ２２をネジ挿通孔２１からボス１１に螺合してマイクカバー２０をベース部１０に固定するようにしている。
【０００６】
ベース部１０とマイクカバー２０とによりマイクロホンケース１内にシールド空間が形成され、その内部にコンデンサマイクユニット３１が実装された回路基板３０が収納される。なお、図示しないが回路基板３０にはインピーダンス変換器や音質調整回路，出力回路なども実装されている。また、回路基板３０にはマイクコード３２が接続され、マイクコード３２はコードブッシュ３３を介してベース部１０から引き出される。
【０００７】
ところで、マイクカバー２０に用いられるパンチングプレートは多数の孔が開けられた例えば鉄板よりなり、所定の形状に切り出されたのちプレスで目的とする形状に加工されるが、多孔板であるためベース部１０と接触する周端面（切断面）２０ａは不斉一でギザギザしている。また、ベース部１０もダイカスト製の場合その鋳肌面は平坦ではない。そのため、ベース部１０とマイクカバー２０の電気的な接続は多点での点接触となっている。
【０００８】
電磁波による影響を考える場合、放送局で使用されている通常のＶＨＦ，ＵＨＦ帯などの電磁波による干渉については上記したベース部１０とマイクカバー２０とによるシールドで十分に対応することができる。しかしながら、マイクロホンの分野においては、近年の携帯電話機の急速な普及に伴ってその強力な電磁波による影響が問題となっている。
【０００９】
すなわち、携帯電話機が使用されるとかなり強い電磁波（例えば、数ｃｍ〜数１０ｃｍ程度の範囲内では商用電波により市中で生じている電界強度の数万倍に達する電界強度）が発生される。
【００１０】
しかしながら、上記したベース部１０とマイクカバー２０とによるシールドではその電気的な接触が点接触であるため、上記したような強い電磁波に対してはマイクカバー２０がアンテナとして作用してしまいこれが原因で雑音が発生することがある。
【００１１】
【特許文献１】実用新案登録第２５１５８１２号公報
【発明の開示】
【発明が解決しようとする課題】
【００１２】
したがって、本発明が解決しようとする課題は、携帯電話機レベルの強い電磁波に対しても十分なシールド性を発揮し得るマイクロホンケースを備えたバウンダリーマイクロホンを提供することにある。
【課題を解決するための手段】
【００１３】
上記課題を解決するため、本発明は、マイクロホンケースが上面側が開放された金属製の扁平なベース部と、上記ベース部の上面を覆うようにして上記ベース部に取り付けられる多数の開口を有する金属製のマイクカバーとを含み、上記マイクロホンケース内にマイクユニットが収納されているバウンダリーマイクロホンにおいて、上記マイクカバーの周端面と上記ベース部との間に、弾性と導電性とを併せもつガスケットが配置されていることを特徴としている。
【００１４】
本発明において、上記ガスケットが弾性を有する芯材と、上記芯材の全周に被覆された導電性繊維とを備え、上記マイクカバーの周端面の全体にわたって配置されていることが好ましい。
【発明の効果】
【００１５】
本発明によれば、マイクカバーのギザギサしている周端面とベース部との間に弾性と導電性とを併せもつガスケットが挟み込まれているため、高い周波数の強い電磁波をも十分にシールドすることができる。また、ベース部および／またはマイクカバーの寸法誤差によるがたつきもガスケットによって吸収することができる。さらには、マイクユニットを交換するためマイクカバーを繰り返し着脱しても初期のシールド性能を維持できる。
【発明を実施するための最良の形態】
【００１６】
次に、図１ないし図３により本発明の実施形態について説明するが、本発明はこれに限定されるものではない。図１は本発明のバウンダリーマイクロホンを示す断面図，図２はその分解断面図で、それぞれ先の図４，図５に対応している。図３は本発明に適用されるガスケットの一部拡大斜視図である。なお、この実施形態の説明において先の図４，図５により説明した従来例と同じであってよい構成要素には、その参照符号をそのまま用いている。
【００１７】
図１，図２を参照して、本発明によるバウンダリーマイクロホンにおいても、マイクロホンケース１は、上面側が開放された金属製の扁平なベース部１０と、その上面を覆うようにしてベース部１０に取り付けられる多数の開口（音波導入孔）を有する金属製のマイクカバー２０の２つの部品から構成されてよい。
【００１８】
通常、ベース部１０は亜鉛ダイカストなどの鋳造により形成されるが、これ以外に金属のプレス成型品が用いられてもよい。また、マイクカバー２０には鉄製などのパンチングプレート（多孔板）が用いられるが、パンチングプレートに代えて金網体が用いられてもよい。また、塗装が施されていてもよい。
【００１９】
この例においても、マイクカバー２０はベース部１０に対してネジ止めされる。見栄え上（意匠上）の観点から上記従来例と同じく固定ネジ２２とボス１１とによる１点止めが好ましいが、止め方は本発明の要部でないため多点でネジ止めしてもよい。また、場合によってはネジ止め以外の方法でマイクカバー２０をベース部１０に固定してもよい。
【００２０】
ベース部１０とマイクカバー２０とにより形成されるマイクロホンケース１のシールド空間内に回路基板３０とコンデンサマイクユニット３１とが収納される。コンデンサマイクユニット３１は回路基板３０に実装された状態でマイクロホンケース１内に収納されてもよいし、回路基板３０とは別にして収納されてもよい。
【００２１】
図示しないが、回路基板３０にはインピーダンス変換器や音質調整回路，出力回路などが実装されてよい。また、回路基板３０にはマイクコード３２が接続され、マイクコード３２はコードブッシュ３３を介してベース部１０から引き出される。
【００２２】
マイクカバー２０はパンチングプレート（もしくは金網体）から所定の形状に切り出されたのちプレスで目的とする形状に加工されるため、ベース部１０と接触する周端面（切断面）２０ａは不斉一でギザギザしている。また、ベース部１０もダイカスト製の場合その鋳肌面は平坦ではない。
【００２３】
そのため、ベース部１０とマイクカバー２０との電気的な接続は多点での点接触状態となる。なお、ベース部１０の鋳肌面が仮に平滑であるにしてもマイクカバー２０の周端面２０ａが不斉一でギザギザしている以上、ベース部１０とマイクカバー２０の電気的な接続は多点での点接触となる。
【００２４】
このような点接触状態で、例えば携帯電話機が近傍で使用されその強い電磁波がマイクロホンケース１に加えられると、マイクカバー２０自体がアンテナとなって電磁波を受信し、それが上記インピーダンス変換器にて検波されて雑音が発生することがある。
【００２５】
これを防止するため、本発明では、マイクカバー２０の周端面２０ａとベース部１０との間に弾性と導電性とを併せもつガスケット４０を配置する。このガスケット４０はマイクカバー２０の周端面２０ａの全体にわたって配置されることが好ましいが、数箇所に部分的に配置してもよい。
【００２６】
図３にガスケット４０の一例を示す。ガスケット４０は弾性を有する芯材４１を備え、その全周には導電性繊維（導電性織物）４２が被覆されている。芯材４１にはスポンジやゴムなどの弾性材料からなる柱状体もしくは筒体が用いられる。
【００２７】
導電性繊維４２は銀コーティングしたナイロン繊維にニッケルめっきを施した導電性繊維が好適である。この種の弾性と導電性とを併せもつガスケット４０には例えば太陽金網社製のソフト・シールド５０００（商品名）がある。なお、導電性繊維４２は細いコイル導線を編み込んだ織物であってもよい。
【００２８】
マイクカバー２０の周端面２０ａとベース部１０との間にガスケット４０を挟み込むことにより、マイクカバー２０とベース部１０とが低インピーダンスにて電気的に接続されるため、マイクロホンケース１内には高い周波数の強い電磁波に対しても有効なシールド空間が提供される。
【００２９】
また、ベース部１０やマイクカバー２０の寸法誤差によるがたつきもガスケット４０によって吸収することができる。さらには、コンデンサマイクユニット３１を交換するためマイクカバー２０を繰り返し着脱しても初期のシールド性能を維持できる。
【図面の簡単な説明】
【００３０】
【図１】本発明によるバウンダリーマイクロホンを示す断面図。
【図２】図１の分解図。
【図３】本発明に用いられるガスケットの一部を示す拡大斜視図。
【図４】従来のバウンダリーマイクロホンを示す断面図。
【図５】図４の分解図。
【符号の説明】
【００３１】
１  マイクロホンケース
１０  ベース部
２０  マイクカバー
２０ａ  周端面
３０  回路基板
３１  コンデンサマイクユニット
３２  マイクコード
４０  ガスケット
４１  芯材
４２  導電性繊維（導電性織物）
【図１】
2005333180.tif 000003
【図２】
2005333180.tif 000004
【図３】
2005333180.tif 000005
【図４】
2005333180.tif 000006
【図５】
2005333180.tif 000007